(57)【特許請求の範囲】
【請求項１】
下枠と、前記下枠から基礎までの間の見付け面を覆うように配設される巾木とを備えた建具において、
前記下枠及び前記巾木は、それぞれ室外側に配置される金属枠材と室内側に配置される金属枠材との間に断熱性を有した連結部材を介在させたものであり、前記巾木の室外側に配置される金属枠材と前記下枠の室内側に配置される金属枠材とが非接触となり、かつ前記巾木の室内側に配置される金属枠材と前記下枠の室外側に配置される金属枠材とが非接触となる状態で前記下枠及び前記巾木を接続し、
前記巾木の室外側に配置される金属枠材において室内に臨む見付け面に断熱性を有した仕切部材を配設し、前記仕切部材を前記基礎に設けた基礎断熱材に接触させた状態で前記巾木を配置したことを特徴とする建具。
【請求項２】
下枠と、前記下枠から基礎までの間の見付け面を覆うように配設される巾木とを備えた建具において、
前記下枠は、室外側に配置される金属枠材と室内側に配置される金属枠材との間に断熱性を有した連結部材を介在させたものであり、前記巾木は、室外側に配置される金属枠材と室内側に配置される樹脂枠材とを備えたものであり、
前記巾木の室外側に配置される金属枠材と前記下枠の室内側に配置される金属枠材とが非接触となる状態で前記下枠及び前記巾木を接続し、
前記巾木の室外側に配置される金属枠材において室内に臨む見付け面と前記樹脂枠材に設けた仕切部とを見込み方向に沿って並設したことを特徴とする建具。
【請求項３】
扉体は、樹脂によって成形した骨材の見付け面に表面材を配設することによって構成したものであり、
前記下枠の連結部材を前記扉体の見込み面に対向して配置したことを特徴とする請求項１または請求項２に記載の建具。
【請求項４】
扉体は、樹脂によって成形した骨材の見付け面に表面材を配設することによって構成したものであり、
前記下枠と前記巾木との間には、前記扉体の見込み面に対向する部位に前記下枠の室外側及び室内側の金属枠材及び断熱性を有した連結部材と、前記巾木の室外側及び室内側の金属枠材及び断熱性を有した連結部材とによって囲まれる空気室を構成したことを特徴とする請求項１に記載の建具。
【請求項５】
前記仕切部を前記基礎に設けた基礎断熱材に接触させた状態で前記巾木を配置したことを特徴とする請求項２に記載の建具。
【発明の詳細な説明】
【技術分野】
【０００１】
本発明は、建具に関するもので、特に、下枠から基礎までの間の見付け面を覆うように配設される巾木を備えた建具に関するものである。
【背景技術】
【０００２】
玄関ドア等の建具に適用される下枠には、室外側に配置される金属枠材と室内側に配置される金属枠材との間に断熱性を有した連結部材を介在させたものを適用したものがある。この種の建具によれば、連結部材によって室内側と室外側との金属枠材の間が断熱されるため、外気温度の影響が室内側に伝わり難くなる（例えば、特許文献１参照）。
【先行技術文献】
【特許文献】
【０００３】
【特許文献１】特開平１０−１８４２０４号公報
【発明の概要】
【発明が解決しようとする課題】
【０００４】
ところで、玄関等の建具では、下枠から基礎までの間の空間にモルタルを充填する場合が多い。この種の建具では、下枠から基礎までの見付け面を覆うように巾木を配設し、充填したモルタルが直接外部から視認されないようにしている。
【０００５】
しかしながら、上記のような構成を有する建具では、巾木及びモルタルを通じて外気温度が室内側に伝わりやすくなり、玄関の床面に結露が生じる等の問題を生じるおそれがある。
【０００６】
本発明は、上記実情に鑑みて、巾木を備えた下枠の断熱性を向上させることのできる建具を提供することを目的とする。
【課題を解決するための手段】
【０００７】
上記目的を達成するため、本発明に係る建具は、下枠と、前記下枠から基礎までの間の見付け面を覆うように配設される巾木とを備えた建具において、前記下枠及び前記巾木は、それぞれ室外側に配置される金属枠材と室内側に配置される金属枠材との間に断熱性を有した連結部材を介在させたものであり、前記巾木の室外側に配置される金属枠材と前記下枠の室内側に配置される金属枠材とが非接触となり、かつ前記巾木の室内側に配置される金属枠材と前記下枠の室外側に配置される金属枠材とが非接触となる状態で前記下枠及び前記巾木を接続し、前記巾木の室外側に配置される金属枠材において室内に臨む見付け面に断熱性を有した仕切部材を配設し、前記仕切部材を前記基礎に設けた基礎断熱材に接触させた状態で前記巾木を配置したことを特徴とする。
【０００８】
この発明によれば、巾木として室外側に配置される金属枠材と室内側に配置される金属枠材とを備えたものを適用し、かつ巾木の室外側に配置される金属枠材と下枠の室内側に配置される金属枠材とが非接触となり、かつ巾木の室内側に配置される金属枠材と下枠の室外側に配置される金属枠材とが非接触となる状態で下枠及び巾木を接続しているため、下枠及び巾木が熱橋となることがない。しかも、下枠から基礎までの空間にモルタルを充填した場合にも、仕切部材によってモルタルと巾木の室外側に配置される金属枠材とが熱的に接続されるおそれがなく、断熱性を向上させることができる。
【０００９】
また本発明に係る建具は、下枠と、前記下枠から基礎までの間の見付け面を覆うように配設される巾木とを備えた建具において、前記下枠は、室外側に配置される金属枠材と室内側に配置される金属枠材との間に断熱性を有した連結部材を介在させたものであり、前記巾木は、室外側に配置される金属枠材と室内側に配置される樹脂枠材とを備えたものであり、前記巾木の室外側に配置される金属枠材と前記下枠の室内側に配置される金属枠材とが非接触となる状態で前記下枠及び前記巾木を接続し、前記巾木の室外側に配置される金属枠材において室内に臨む見付け面と前記樹脂枠材に設けた仕切部とを見込み方向に沿って並設したことを特徴とする。
【００１０】
この発明によれば、巾木として室外側に配置される金属枠材と室内側に配置される樹脂枠材とを備えたものを適用し、巾木の室外側に配置される金属枠材と下枠の室内側に配置される金属枠材とが非接触となる状態で下枠及び巾木を接続しているため、下枠及び巾木が熱橋となることがない。しかも、下枠から基礎までの空間にモルタルを充填した場合にも、仕切部によってモルタルと巾木の室外側に配置される金属枠材とが熱的に接続されるおそれがなく、断熱性を向上させることができる。
【００１１】
また本発明は、上述した建具において、扉体は、樹脂によって成形した骨材の見付け面に表面材を配設することによって構成したものであり、前記下枠の連結部材を前記扉体の見込み面に対向して配置したことを特徴とする。
【００１２】
この発明によれば、樹脂によって成形した骨材の見込み面に対向して下枠の連結部材を配置しているため、扉体を介して外気温度の影響が室内側に及ぶおそれがなくなり、断熱性の向上を図ることができる。
【００１３】
また本発明は、上述した建具において、扉体は、樹脂によって成形した骨材の見付け面に表面材を配設することによって構成したものであり、前記下枠と前記巾木との間には、前記扉体の見込み面に対向する部位に前記下枠の室外側及び室内側の金属枠材及び断熱性を有した連結部材と、前記巾木の室外側及び室内側の金属枠材及び断熱性を有した連結部材とによって囲まれる空気室を構成したことを特徴とする。
【００１４】
この発明によれば、下枠の連結部材と巾木の連結部材との間に空気室が介在するため、下枠の連結部材と巾木の連結部材とが見込み方向に位置ずれすることにより、非接触となる室外側の金属枠材と室内側の金属枠材とが相互に対向した場合にも互いの間の熱伝達が抑えられ、断熱性が損なわれるおそれがなくなる。
【００１６】
この発明によれば、基礎断熱材と仕切部材とが接触するため、基礎からモルタルを通じて外気温度の影響が室内側に及ぶおそれがなくなり、断熱性の向上を図ることができる。
【００１７】
また本発明は、上述した建具において、前記仕切部を前記基礎に設けた基礎断熱材に接触させた状態で前記巾木を配置したことを特徴とする。
【００１８】
この発明によれば、基礎断熱材と巾木の仕切部とが接触するため、基礎からモルタルを通じて外気温度の影響が室内側に及ぶおそれがなくなり、断熱性の向上を図ることができる。
【発明の効果】
【００１９】
本発明によれば、巾木として室外側に配置される金属枠材と室内側に配置される金属枠材とを備えたものを適用し、かつ巾木の室外側に配置される金属枠材と下枠の室内側に配置される金属枠材とが非接触となり、かつ巾木の室内側に配置される金属枠材と下枠の室外側に配置される金属枠材とが非接触となる状態で下枠及び巾木を接続しているため、下枠及び巾木が熱橋となることがなく、下枠の断熱性を向上させることができる。
【００２０】
また、本発明によれば、巾木として室外側に配置される金属枠材と室内側に配置される樹脂枠材とを備えたものを適用し、巾木の室外側に配置される金属枠材と下枠の室内側に配置される金属枠材とが非接触となる状態で下枠及び巾木を接続しているため、下枠及び巾木が熱橋となることがなく、下枠の断熱性を向上させることができる。
【図面の簡単な説明】
【００２１】
【図１】図１は、本発明の実施の形態１である建具の縦断面図である。
【図２】図２は、図１に示した建具に適用する下枠、巾木及び仕切部材の拡大分解図である。
【図３】図３は、図１に示した建具の変形例１を示す要部縦断面図である。
【図４】図４は、図１に示した建具に適用する巾木及び仕切部材を下枠から基礎までの間の隙間が小さい建具に対応させる手順を示した概念図である。
【図５】図５は、図１に示した建具の変形例２を示す要部縦断面図である。
【図６】図６は、本発明の実施の形態２である建具の要部縦断面図である。
【図７】図７は、図６に示した建具に適用する下枠及び巾木の拡大分解図である。
【発明を実施するための形態】
【００２２】
以下、添付図面を参照しながら本発明に係る建具の好適な実施の形態について詳細に説明する。
【００２３】
（実施の形態１）
図１は、本発明の実施の形態１である建具を示したものである。ここで例示する建具は、家屋の玄関に用いられるもので、扉体１０と、ヒンジを介して扉体１０を開閉可能に支持する枠体２０とを備えて構成してある。扉体１０は、四周枠組みした骨材１１の見付け面にそれぞれ表面材１２を配設することによって構成してある。骨材１１は、硬質ＰＶＣ（ｐｏｌｙ  ｖｉｎｙｌ  ｃｈｌｏｒｉｄｅ）等の硬質樹脂によって押し出し成形した樹脂骨材１１Ａと、スチール等の金属によって押し出し成形した金属骨材１１Ｂとを備えている。
【００２４】
樹脂骨材１１Ａは、扉体１０の見込み方向に沿った寸法にほぼ等しい長さを有するように構成してある。金属骨材１１Ｂは、見込み方向に沿った寸法が樹脂骨材１１Ａよりも短い長さに構成してあり、樹脂骨材１１Ａの内周側見込み面において室外側に偏った位置に配設してある。樹脂骨材１１Ａの内周側見込み面において室内側となる位置には、空気よりも熱伝導率の小さい材料によって構成した断熱部材１３が配設してある。
【００２５】
ここで、見込み方向とは、図１中の矢印Ａで示すように、建具の奥行きに沿った方向のことである。見込み方向に沿った平面については、見込み面と称する場合がある。また、見付け方向とは、扉体１０の上縁や下縁に沿って配置される骨材１１のように水平に沿った部材の場合、見込み方向に直交した上下に沿う方向であり、扉体１０の両側縁に沿って配置される骨材１１のように上下に沿った部材の場合、見込み方向に直交した水平に沿う方向である。見付け方向に沿った平面については、見付け面と称する場合がある。
【００２６】
表面材１２は、鋼材等の金属によって成形した薄板状部材によって成形したもので、基板部１２ａ及び屈曲部１２ｂを有している。基板部１２ａは、扉体１０の外形寸法とほぼ同じ大きさの矩形状を成す部分である。屈曲部１２ｂは、基板部１２ａの四周からそれぞれ同じ方向に向けてほぼ直角に屈曲した部分である。
【００２７】
この表面材１２は、基板部１２ａによって骨材１１の見付け面を覆うとともに、それぞれの屈曲部１２ｂによって骨材１１の見込み面を一部覆うように配置し、屈曲部１２ｂと骨材１１との間を接合することによって扉体１０を構成する。表面材１２の屈曲部１２ｂと骨材１１とを接合する方法としては、例えばリベット１４を適用すれば良い。樹脂骨材１１Ａと金属骨材１１Ｂとが重ね合わされた部分については、樹脂骨材１１Ａを介して表面材１２の屈曲部１２ｂを金属骨材１１Ｂに接合することが好ましい。また表面材１２の相互間には、ウレタンフォーム等の断熱層材１５を介在させることが好ましい。
【００２８】
上述の扉体１０を支持する枠体２０は、上枠２１、下枠２２及び左右の縦枠（図示せず）を四周枠組みすることによって構成したものである。枠体２０の上枠２１は、アルミニウム合金等の金属によって押し出し成形した２つの金属枠材２１Ａ，２１Ｂと、断熱性材料によって成形した連結部材２１Ｃとを備え、見込み方向に沿って並設した２つの金属枠材２１Ａ，２１Ｂの間を連結部材２１Ｃによって連結したものである。同様に、枠体２０の下枠２２は、アルミニウム合金等の金属によって押し出し成形した金属枠材２２Ａ，２２Ｂと、断熱性材料によって成形した連結部材２１Ｃとを備え、見込み方向に沿って並設した２つの金属枠材２２Ａ，２２Ｂの間を連結部材２２Ｃによって連結したものである。図には明示していないが、縦枠についても上枠２１同様、アルミニウム合金等の金属によって押し出し成形した２つの金属枠材と、見込み方向に並設した２つの金属枠材の間を連結する断熱性の連結部材とを備えて構成してある。
【００２９】
図２からも明らかなように、下枠２２の連結部材２２Ｃは、見込み方向のほぼ中央となる位置に設けてあり、扉体１０が閉じた場合にその見込み面に対向することになる。下枠２２において室外側に配置される金属枠材（以下、区別する場合に外方枠材２２Ａという）は、連結部材２２Ｃから室外側に向けてほぼ水平に延在する外方枠基部２２Ａ１と、外方枠基部２２Ａ１の室外側に位置する縁部から下方に向けてほぼ直角に屈曲して延在する外方ヒレ部２２Ａ２とを有したものである。外方ヒレ部２２Ａ２の下端部には、室内側に向けてほぼ直角に屈曲して延在する係止ヒレ部２２Ａ３が設けてある。
【００３０】
下枠２２において室内側に配置される金属枠材（以下、区別する場合に内方枠材２２Ｂという）は、連結部材２２Ｃから室内側に向けてほぼ水平に延在する内方枠基部２２Ｂ１と、内方枠基部２２Ｂ１の室外側に位置する部位及び室内側に位置する部位からそれぞれ下方に向けてほぼ直角に屈曲して延在する２つの支持ヒレ部２２Ｂ２，２２Ｂ３とを有したものである。室外側に設けた支持ヒレ部２２Ｂ２の下端部には、室外側に向けてほぼ直角に屈曲した係止突起部２２Ｂ４が設けてある。係止突起部２２Ｂ４は、その先端から係止ヒレ部２２Ａ３の延在端までの間が距離ａとなるように構成してある。
【００３１】
図１に示すように、この建具では、下枠２２の下方に巾木３０が付設してある。巾木３０は、下枠２２から基礎ＢＢまでの間において室外側の見付け面を覆うように配設されるものである。本実施の形態１で適用する巾木３０は、下枠２２と同様、アルミニウム合金等の金属によって成形した２つの巾木構成材（金属枠材）３０Ａ，３０Ｂを見込み方向に沿って並設し、互いの間を断熱性を有した連結部材３０Ｃで連結することにより構成してある。
【００３２】
図２に示すように、巾木３０において室外側に配置される巾木構成材（以下、区別する場合に外方巾木材３０Ａという）は、連結部材３０Ｃから下方に向けて延在する角筒状の外方筒部３０Ａ１と、外方筒部３０Ａ１において室外側の下方縁部から下方に延在したカバーヒレ部３０Ａ２とを有したものである。外方巾木材３０Ａの上面には、係止フック部３０Ａ３が設けてある。係止フック部３０Ａ３は、外方巾木材３０Ａの上面から上方に突出した後、室外側に向けて屈曲した部分である。カバーヒレ部３０Ａ２の室内に臨む見付け面には、複数の折り取り溝３０Ａ４が設けてある。折り取り溝３０Ａ４は、水平方向に沿って延在する凹溝であり、互いにほぼ等間隔となるように設けてある。
【００３３】
巾木３０において室内側に配置される巾木構成材（以下、区別する場合に内方巾木材３０Ｂという）は、連結部材３０Ｃから室内側に向けてほぼ水平に延在する巾基部３０Ｂ１と、巾基部３０Ｂ１の室外側に位置する部位から下方に向けてほぼ直角に屈曲して延在する挟持ヒレ部３０Ｂ２と、巾基部３０Ｂ１の室内側に位置する縁部に設けた係合片部３０Ｂ３とを有したものである。係合片部３０Ｂ３は、巾基部３０Ｂ１から下方に向けて屈曲した後、室内側に向けて屈曲して延在する部分である。この係合片部３０Ｂ３には、弾性係合片３０Ｂ４が設けてある。弾性係合片３０Ｂ４は、係合片部３０Ｂ３の延在端部から上方に向けてほぼ直角に突出したもので、突出端部において室内に臨む部位に係合突部３０Ｂ５が設けてある。この弾性係合片３０Ｂ４は、係止フック部３０Ａ３までの間が上述の距離ａよりわずかに大きな寸法ａ′となる位置に設けてある。
【００３４】
外方巾木材３０Ａと内方巾木材３０Ｂとの間には、仕切部材４０が配設してある。仕切部材４０は、断熱性材料によって成形したブロック部材である。本実施の形態１では、下端部が厚板で上端部が薄板となる仕切部材４０を適用しており、上端部を外方巾木材３０Ａの外方筒部３０Ａ１と内方巾木材３０Ｂの挟持ヒレ部３０Ｂ２との間に挟持させた場合に薄板の上端部が外方筒部３０Ａ１に密着し、かつ厚板の下端部がカバーヒレ部３０Ａ２に密着するように形成してある。仕切部材４０と巾木３０との間は、例えば接着材によって接合すれば良い。
【００３５】
上述の巾木３０は、係止フック部３０Ａ３に下枠２２の係止ヒレ部２２Ａ３を挿入し、この状態から弾性係合片３０Ｂ４の係合突部３０Ｂ５を係止突起部２２Ｂ４に係合させれば、図１に示すように、外方筒部３０Ａ１の見付け面及びカバーヒレ部３０Ａ２の見付け面が外方枠材２２Ａにおける外方ヒレ部２２Ａ２の見付け面に連続する状態で下枠２２の下方に接続されることになる。従って、下枠２２から基礎ＢＢまでの空間にモルタルＭＢを充填した場合にも、直接外部からモルタルＭＢが視認されるおそれがなく建具の外観品質を向上させることが可能となる。
【００３６】
しかも、下枠２２から基礎ＢＢまでの空間に充填したモルタルＭＢは、下枠２２においては内方枠材２２Ｂにのみ接触し、巾木３０においては仕切部材４０があるため内方巾木材３０Ｂにのみ接触することになる。ここで、巾木３０は、外方巾木材３０Ａが下枠２２の外方枠材２２Ａとのみ接触し、内方巾木材３０Ｂが下枠２２の内方枠材２２Ｂとのみ接触した状態で下枠２２に接続してある。換言すれば、下枠２２の外方枠材２２Ａ及び巾木３０の外方巾木材３０Ａと、下枠２２の内方枠材２２Ｂ、巾木３０の内方巾木材３０Ｂ及びモルタルＭＢとの間には、下枠２２の連結部材２２Ｃ、巾木３０の連結部材３０Ｃ及び仕切部材４０が介在するため、巾木３０の外方巾木材３０Ａと下枠２２の内方枠材２２Ｂとが非接触となり、かつ巾木３０の内方巾木材３０Ｂと下枠２２の外方枠材２２Ａとが非接触となっている。従って、直接外気に接触する下枠２２の外方枠材２２Ａや巾木３０の外方巾木材３０Ａに温度変化が生じたとしても、その影響が下枠２２の内方枠材２２Ｂ、巾木３０の内方巾木材３０Ｂ及びモルタルＭＢに及ぶおそれはない。これにより、例えば室内温度に対して外気温度が低い場合にも、玄関の床面に結露等の問題を生じることがない。
【００３７】
さらに、この建具では、樹脂によって成形した骨材１１を適用する扉体１０の見込み面に対向して下枠２２の連結部材２２Ｃを配置している。加えて、下枠２２と巾木３０との間には、密閉状の空気室２３が構成され、かつこの空気室２３が扉体１０の見込み面に対向する部位に配置されることになる。これらの結果、扉体１０を介して下枠２２に外気温度の影響が下枠２２の内方枠材２２Ｂ、巾木３０の内方巾木材３０Ｂ及びモルタルＭＢに及ぶおそれがなく、断熱性を一層向上させることができる。
【００３８】
また、図１に示すように、基礎ＢＢに設けられた発泡スチロール等の基礎断熱材ＢＤに対して仕切部材４０の下端部を接触させれば、基礎ＢＢを通じてモルタルＭＢに外気の影響が及ぶおそれがなくなり、断熱性の更なる向上を図ることが可能となる。
【００３９】
基礎ＢＢに設けられた基礎断熱材ＢＤが仕切部材４０の直下に存在しない場合には、図３の変形例１に示すように、基礎ＢＢの上面に断熱性を有した補助仕切材ＨＢＤを敷設し、この補助仕切材ＨＢＤを介して基礎ＢＢの基礎断熱材ＢＤと巾木３０の仕切部材４０とを接触させれば、同様の作用効果を奏することが可能である。なお、図３の変形例１においては、実施の形態１と同様の構成に同一の符号が付してある。
【００４０】
また、図４に示すように、折り取り溝３０Ａ４に沿って切断することで寸法の小さいカバーヒレ部３０Ａ２′を有した外方巾木材３０Ａ′を構成し、かつカッター等の刃物で適宜切除することで寸法の小さい仕切部材４０′を構成すれば、図５の変形例２に示すように、下枠２２から基礎ＢＢまでの間の隙間が小さい建具にも適用することが可能となる。従って、下枠２２から基礎ＢＢまでの寸法が異なる場合にも、１種類の巾木３０及び仕切部材４０を共用することが可能となり、製造コストを低減する上で有利となる。
【００４１】
（実施の形態２）
図６は、本発明の実施の形態２である建具の要部を示したものである。ここで例示する建具は、実施の形態１と同様、扉体１０と、ヒンジを介して扉体１０を開閉可能に支持する枠体１２０とを備えたものであり、実施の形態１とは下枠１２２及び巾木１３０の構成のみが異なっている。以下、実施の形態１と異なる構成について詳述し、同様の構成については同一の符号を付してそれぞれの詳細説明を省略する。
【００４２】
実施の形態２で適用する下枠１２２は、図７に示すように、アルミニウム合金等の金属によって押し出し成形した２つの金属枠材１２２Ａ，１２２Ｂと、断熱性材料によって成形した連結部材１２２Ｃとを備え、見込み方向に沿って並設した２つの金属枠材１２２Ａ，１２２Ｂの間を連結部材１２２Ｃによって連結したものである。下枠１２２において室外側に配置される金属枠材（以下、区別する場合に外方枠材１２２Ａという）は、連結部材１２２Ｃから室外側に向けてほぼ水平に延在する外方枠基部１２２Ａ１と、外方枠基部１２２Ａ１の室外側に位置する縁部から下方に向けてほぼ直角に屈曲して延在する外方ヒレ部１２２Ａ２と、外方枠基部１２２Ａ１の室内側に位置する部位から下方に向けてほぼ直角に突出した内方ヒレ部１２２Ａ３とを有したものである。外方ヒレ部１２２Ａ２の下端部には、室内側に向けてほぼ直角に屈曲して延在する外方係止ヒレ部１２２Ａ４が設けてある。同様に、内方ヒレ部１２２Ａ３の下端部には、室外側に向けてほぼ直角に屈曲して延在する内方係止ヒレ部１２２Ａ５が設けてある。外方係止ヒレ部１２２Ａ４と内方係止ヒレ部１２２Ａ５との先端相互間は、距離ｂとなるように構成してある。
【００４３】
下枠１２２において室内側に配置される金属枠材（以下、区別する場合に内方枠材１２２Ｂという）は、連結部材１２２Ｃから室内側に向けてほぼ水平に延在する内方枠基部１２２Ｂ１と、内方枠基部１２２Ｂ１の室内側に位置する部位から下方に向けてほぼ直角に屈曲して延在する支持ヒレ部１２２Ｂ２とを有したものである。支持ヒレ部１２２Ｂ２の下端部は、室内側に向けてほぼ直角に屈曲して延在している。
【００４４】
巾木１３０は、アルミニウム合金等の金属によって成形した金属巾木材（金属枠材）１３０Ａと、硬質ＰＶＣ等の硬質樹脂によって成形した樹脂巾木材（樹脂枠材）１３０Ｂとを備え、金属巾木材１３０Ａが室外側となるように互いに見込み方向に沿って並設することにより構成してある。
【００４５】
金属巾木材１３０Ａは、上下方向に沿って延在するカバーヒレ部１３０Ａ１と、カバーヒレ部１３０Ａ１の上端部に連設した角筒状のホロー部１３０Ａ２と、ホロー部１３０Ａ２から室内側に向けて延在した係合片部１３０Ａ３とを有したものである。ホロー部１３０Ａ２の上面には、係止フック部１３０Ａ４が設けてある。係止フック部１３０Ａ４は、ホロー部１３０Ａ２の上面から上方に突出した後、室外側に向けて屈曲した部分である。係合片部１３０Ａ３は、ホロー部１３０Ａ２からほぼ水平に延在した平板状部分であり、延在端部に弾性係合片１３０Ａ５を有している。弾性係合片１３０Ａ５は、上方に向けてほぼ直角に突出したもので、突出端部において室内に臨む部位に係合突部１３０Ａ６が設けてある。この弾性係合片１３０Ａ５は、係止フック部１３０Ａ４までの間が上述の距離ｂよりわずかに大きな寸法ｂ′となる位置に設けてある。
【００４６】
一方、樹脂巾木材１３０Ｂは、横長矩形の筒状を成す樹脂筒部１３０Ｂ１と、樹脂筒部１３０Ｂ１の上面から突出するように設けた支持筒部１３０Ｂ２と、樹脂筒部１３０Ｂ１の室外側に位置する下縁部から室外側に向けて延在した支持板部１３０Ｂ３と、支持板部１３０Ｂ３の延在端部から下方に向けて延在した仕切ヒレ部（仕切部）１３０Ｂ４とを有したものである。樹脂筒部１３０Ｂ１の高さは、金属巾木材１３０Ａのホロー部１３０Ａ２において室内側に位置する部分の高さ寸法とほぼ同じとなるように構成してある。支持筒部１３０Ｂ２は、下枠１２２において連結部材１２２Ｃを保持する部分の下面に当接する第１当接面１３０Ｂ２ａと、下枠１２２の内方ヒレ部１２２Ａ３に当接する第２当接面１３０Ｂ２ｂと、下枠１２２の支持ヒレ部１２２Ｂ２に当接する第３支持面１３０Ｂ２ｃとを有したものである。仕切ヒレ部１３０Ｂ４は、支持板部１３０Ｂ３から下方に延在した後、室外側に向けてほぼ直角に屈曲したものである。仕切ヒレ部１３０Ｂ４において上下方向に沿った部分の寸法は、金属巾木材１３０Ａのカバーヒレ部１３０Ａ１とほぼ同じ寸法を有している。
【００４７】
上述の巾木１３０は、樹脂巾木材１３０Ｂと金属巾木材１３０Ａとの間を予め一体化した状態にしておく。一体化する方法としては、例えば樹脂筒部１３０Ｂ１の上面と係合片部１３０Ａ３との間及び樹脂筒部１３０Ｂ１の見付け面及び支持板部１３０Ｂ３とホロー部１３０Ａ２との間を接着材によって接合すれば良い。樹脂巾木材１３０Ｂと金属巾木材１３０Ａとを一体化した巾木１３０は、図６に示すように、金属巾木材１３０Ａにおけるカバーヒレ部１３０Ａ１の室内に臨む見付け面と樹脂巾木材１３０Ｂの仕切ヒレ部１３０Ｂ４とが見込み方向に沿って並設され、カバーヒレ部１３０Ａ１の室内に臨む見付け面のすべてが樹脂巾木材１３０Ｂの仕切ヒレ部１３０Ｂ４によって覆われた状態となる。しかも、カバーヒレ部１３０Ａ１と仕切ヒレ部１３０Ｂ４との間には、空間１３１が確保された状態となる。
【００４８】
この巾木１３０は、金属巾木材１３０Ａの係止フック部１３０Ａ４に下枠１２２の外方係止ヒレ部１２２Ａ４を挿入し、この状態から弾性係合片１３０Ａ５の係合突部１３０Ａ６を内方係止ヒレ部１２２Ａ５の先端に係合させれば、ホロー部１３０Ａ２の見付け面及びカバーヒレ部１３０Ａ１の見付け面が、外方枠材１２２Ａにおける外方ヒレ部１２２Ａ２の見付け面に連続する状態で下枠１２２の下方に接続されることになる。従って、下枠１２２から基礎ＢＢまでの空間にモルタルＭＢを充填した場合にも、直接外部からモルタルＭＢが視認されるおそれがなく建具の外観品質を向上させることが可能となる。
【００４９】
しかも、この状態においては、樹脂巾木材１３０Ｂによって下枠１２２の外方枠材１２２Ａと内方枠材１２２Ｂとの連結部分の下方が覆われた状態となる。従って、下枠１２２から基礎ＢＢまでの空間に充填したモルタルＭＢは、下枠１２２においては内方枠材１２２Ｂにのみ接触し、巾木１３０においては樹脂巾木材１３０Ｂにのみ接触することになる。
【００５０】
ここで、巾木１３０は、金属巾木材１３０Ａが下枠１２２の外方枠材１２２Ａとのみ接触した状態で下枠１２２に接続してある。換言すれば、下枠１２２の外方枠材１２２Ａ及び巾木１３０の金属巾木材１３０Ａと、下枠１２２の内方枠材１２２Ｂ及びモルタルＭＢとの間には、下枠１２２の連結部材１２２Ｃ及び樹脂巾木材１３０Ｂが介在するため、巾木１３０の金属巾木材１３０Ａと下枠１２２の内方枠材１２２Ｂとが非接触となっている。従って、直接外気に接触する下枠１２２の外方枠材１２２Ａや巾木１３０の金属巾木材１３０Ａに温度変化が生じたとしても、その影響が下枠１２２の内方枠材１２２Ｂ及びモルタルＭＢに及ぶおそれはない。これにより、例えば室内温度に対して外気温度が低い場合にも、玄関の床面に結露等の問題を生じることがない。
【００５１】
さらに、この建具では、樹脂によって成形した骨材１１を適用する扉体１０の見込み面に対向して下枠１２２の連結部材１２２Ｃを配置している。この結果、扉体１０を介して下枠１２２に外気温度の影響が下枠１２２の内方枠材１２２Ｂ及びモルタルＭＢに及ぶおそれがなく、断熱性を一層向上させることができる。
【００５２】
また、基礎ＢＢに設けられた基礎断熱材ＢＤに対して樹脂巾木材１３０Ｂの仕切ヒレ部１３０Ｂ４を接触させれば、基礎ＢＢを通じてモルタルＭＢに外気の影響が及ぶおそれがなくなり、断熱性の更なる向上を図ることが可能となる。さらに、カバーヒレ部１３０Ａ１と仕切ヒレ部１３０Ｂ４との間の空間１３１には、空気よりも熱伝導率の小さい断熱性材料から成る部材を配設すれば、断熱性の向上を図ることが可能である。
【００５３】
なお、上述した実施の形態１及び実施の形態２では、ヒンジを介して扉体を枠体に支持させた建具を例示しているが、本発明はこれに限定されない。
【符号の説明】
【００５４】
１０  扉体、１１  骨材、１１Ａ  樹脂骨材、１２  表面材、２２  下枠、２２Ａ  外方枠材、２２Ｂ  内方枠材、２２Ｃ  連結部材、２３  空気室、３０  巾木、３０Ａ  外方巾木材、３０Ｂ  内方巾木材、３０Ｃ  連結部材、４０  仕切部材、１２２  下枠、１２２Ａ  外方枠材、１２２Ｂ  内方枠材、１２２Ｃ  連結部材、１３０  巾木、１３０Ａ  金属巾木材、１３０Ｂ  樹脂巾木材、１３０Ｂ４  仕切ヒレ部、ＢＢ  基礎、ＢＤ  基礎断熱材
【図１】
0006549999.tif 000002
【図２】
0006549999.tif 000003
【図３】
0006549999.tif 000004
【図４】
0006549999.tif 000005
【図５】
0006549999.tif 000006
【図６】
0006549999.tif 000007
【図７】
0006549999.tif 000008